(57)【特許請求の範囲】
【請求項１】
データが記録される又はデータの記録されたグルーブトラックを有する光ディスクであって、
前記グルーブトラックの一方の側壁には、この光ディスクを角速度一定で回転した際に一定の周波数が得られる第１のウォブルが連続して形成されると共に、前記グルーブトラックの他方の側壁には、前記第１のウォブルの位相と一致する第２のウォブルが、アドレス情報に対応して不連続に形成されて成ることを特徴とする光ディスク。
【請求項２】
前記第２のウォブルは、前記アドレス情報のデータビットに応じたウォブルの有無により不連続とされて成ることを特徴とする請求項１記載の光ディスク。
【請求項３】
請求項１又は請求項２に記載の光ディスクにデータを記録する、又は、前記光ディスクからデータを再生する光ディスク装置であって、
回転させた前記光ディスクにレーザ光を照射して得られた再生信号から前記第１及び第２のウォブルに対応したウォブリング信号を検出する検出手段と、
前記検出手段で検出されたウォブリング信号の振幅の大小に基づいて前記アドレス情報を得るアドレス情報読取手段と、を備えたことを特徴とする光ディスク装置。
【請求項４】
請求項１又は請求項２に記載の光ディスクにデータを記録する、又は、前記光ディスクからデータを再生する際に前記アドレス情報を検出するアドレス情報検出方法であって、
回転させた前記光ディスクにレーザ光を照射して再生信号を得るステップと、
前記再生信号から前記第１及び第２のウォブルに対応したウォブリング信号を検出する検出ステップと、
前記検出ステップで検出されたウォブリング信号の振幅を測定し、該振幅の大小に基づいて前記アドレス情報を検出するアドレス情報検出ステップと、を有することを特徴とするアドレス情報検出方法。
【発明の詳細な説明】
【０００１】
【発明の属する技術分野】
本発明は、プリグルーブをウォブリングしてスピンドル回転制御情報とアドレス情報とが記録されている記録可能型光ディスク、この光ディスクからスピンドル回転制御情報とアドレス情報とを読み出してここにデータを高密度に記録再生する光ディスク、光ディスク装置、アドレス情報検出方法に関する。
【０００２】
【従来の技術】
ディスクにデータを記録する際には、データを所定の位置に記録することができるように、前もってアドレス情報をディスク記録する必要がある。このアドレス情報は、ＣＤ−ＲのＡＴＩＰ（Absolute Time In Pregroove）のように周波数変調されたアドレス情報に対応してトラックをウォブリング記録される場合がある。
【０００３】
すなわち、図９に示すように、データを記録するトラックがプリグルーブｇとして予め形成されるが、このプリグルーブｇの側壁ｗを周波数変調されたアドレス情報に対応してウォブリングする（蛇行させる）。このようにすると、このウォブリングからアドレス情報を読み取ることができ、ディスクＤの所望のトラック位置にデータを記録することが可能となる。
【０００４】
【発明が解決しようとする課題】
しかしながら、このように周波数変調によるウォブリングによりアドレスを記録するようにした場合、このプリグルーブトラックにデータを記録する際は、アドレスを正確に読み取ることが可能であり、正確な位置にデータを記録することができる。しかし、ランドトラックを走査した場合に、ランドトラックに隣接する左右のグルーブトラックのウォブリング信号が合成されるから、このランドトラックの走査に対応したウォブリングを正しく再生することが困難になる課題があった。その結果、ディスクＤを回転するための回転制御情報やアドレス情報が読み取れず、ランドトラックにもデータを記録することが困難になる課題があった。
【０００５】
この課題を解決する一つの方法として、回転制御信号の基準となる同期信号はウォブリングにより記録し、アドレス情報はプリピットで形成する方法が特開平９−２３１５８０号公報に開示されている。情報記録領域を半径方向に複数のゾーンに分割し、グルーブは記録媒体を一定の角速度で回転させた時、複数のゾーンの各ゾーン内ではそれぞれのゾーンに応じた所定の周波数で半径方向にウォブルしており、ウォブルの空間周波数は各ゾーン毎にほぼ一定にすることで、ランドトラックでも単一周波数ウォブルを正しく再生できる。アドレス情報はランドとグルーブの境界に予めプリピットとして刻んでおけばランドからもグルーブからもアドレス情報が得られる。
【０００６】
しかしながら、この方法では、図１０にディスク形態を概念的に示す要部拡大図を示したように、アドレスピットの専用領域ＩＤが必要になり、さらに記録データが分断されるのでデータ読み出しのためのＰＬＬが同期しやすいようにアドレスピット領域の後（データの先頭）にＶＦＯ（Variable Frequency Oscillater ）を挿入する領域ＶＦＯが必要であり、ディスクの実質的な記録容量が小さくなってしまうことになる。
【０００７】
従って、ランドにもグルーブにも記録するディスクにおいては、アドレス領域とデータ領域を物理的に分離する必要があり、高密度記録することが困難である課題があった。
【０００８】
本発明はこのような状況に鑑みてなされたものであり、ランドにもグルーブにもデータを記録するディスクにおいて、アドレス領域とデータ領域を兼用にして、高密度記録することができるようにするものである。
【０００９】
上記目的を達成するための手段として、本発明は、下記の構成になる光ディスク、光ディスク装置、アドレス情報検出方法を提供する。
【００１０】
（１）  データが記録される又はデータの記録されたグルーブトラックを有する光ディスクであって、
前記グルーブトラックの一方の側壁には、この光ディスクを角速度一定で回転した際に一定の周波数が得られる第１のウォブルが連続して形成されると共に、前記グルーブトラックの他方の側壁には、前記第１のウォブルの位相と一致する第２のウォブルが、アドレス情報に対応して不連続に形成されて成ることを特徴とする光ディスク。
【００１１】
（２）  前記第２のウォブルは、前記アドレス情報のデータビットに応じたウォブルの有無により不連続とされて成ることを特徴とする（１）に記載の光ディスク。
【００１２】
（３）  （１）又は（２）に記載の光ディスクにデータを記録する、又は、前記光ディスクからデータを再生する光ディスク装置であって、回転させた前記光ディスクにレーザ光を照射して得られた再生信号から前記第１及び第２のウォブルに対応したウォブリング信号を検出する検出手段と、前記検出手段で検出されたウォブリング信号の振幅の大小に基づいて前記アドレス情報を得るアドレス情報読取手段と、を備えたことを特徴とする光ディスク装置。
【００１３】
（４）  （１）又は（２）に記載の光ディスクにデータを記録する、又は、前記光ディスクからデータを再生する際に前記アドレス情報を検出するアドレス情報検出方法であって、回転させた前記光ディスクにレーザ光を照射して再生信号を得るステップと、前記再生信号から前記第１及び第２のウォブルに対応したウォブリング信号を検出する検出ステップと、前記検出ステップで検出されたウォブリング信号の振幅を測定し、該振幅の大小に基づいて前記アドレス情報を検出するアドレス情報検出ステップと、を有することを特徴とするアドレス情報検出方法。
【００１６】
【発明の実施の態様】
以下、本発明の光ディスク、光ディスク装置、アドレス情報検出方法について、図１〜図８に沿って説明する。図１は、本発明の光ディスクの構成を表している。同図（Ａ）に示すように、光ディスク１には、データを記録するトラックであるプリグルーブ２がスパイラル状に内周から外周に向かって予め形成されている。スパイラルの方向は外周から内周に向かって形成されても構わないし、同心円状でも構わない。グルーブ（案内溝）２の幅は一定であり、ランド（案内溝間）３の幅も一定に形成されている。
【００１７】
また、こうした構成の光ディスクに用いられる記録方法としては、データを記録すべきトラックとしてグルーブ及びランドを併用して、グルーブＧとランドＬの両方にデータを記録することが可能である。あるいはグルーブＧだけを記録トラックとして使用してデータの記録を行うことも可能である。同図（Ｂ）に示すように、グルーブピッチ（ランドピッチ）は、例えば１．２μｍ程度であり、グルーブＧ（ランドＬ）は半径方向に微小量ウォブリングしている。グルーブＧ（ランドＬ）のウォブリングの振幅は、例えば０．０１μｍ程度で、本来のトラッキングに影響を与えないように、グルーブピッチ（ランドピッチ）に比べて十分に小さくするのが好ましい。このようなウォブリングの繰り返し周波数は、この光ディスク１を角速度一定で回転させた時には、一定の周波数となるように設定する。
【００１８】
また、線速度一定で回転した時は、ウォブリングの繰り返し周波数は、光ディスク１の最内周から最外周へ徐々に低下していく。この周波数も、本来のトラッキングに影響を与えないように、実際に記録回転数で回転駆動したとき、トラッキングサーボ帯域（一般には数ｋＨｚ）よりも十分に高い周波数になるようにするのが好ましい。
【００１９】
図１においては、隣接するグルーブウォブルとランドウォブルの位相が一致して、ランドＬの幅が一定になるように形成される。図２は光ディスク断面斜視図を示す。
【００２０】
図２に示すように、このグルーブ２は、グルーブトラックの左右の側壁（両端部）が、同期信号の周波数（例えば周期７５μｍ）でウォブリングされ、左右の側壁の一方は内周から外周まで連続した蛇行が形成され、左右の側壁の他方はアドレス情報のデータビットに応じて蛇行の有無が決定されて形成される構成となっている。例えば図６（Ａ），（Ｂ）に示すディスクトラックのように、アドレス情報のデータビットが”１”の区間はトラックの左右側壁の一方がウォブリングの３周期分だけ蛇行しないように形成され、アドレス情報のデータビットが”０”の区間は蛇行して形成される。即ち、アドレス情報に対応する変化量をもってウォブリングが形成されている。
【００２１】
グルーブ２を以上のように形成することで、ランドトラックを走査するときでも、ランド３上でもグルーブ２上を走査するときと同様に、ウォブリングが安定して検出され、グルーブと兼用のアドレス情報がグルーブ上と同様に安定して得られる。
【００２２】
図３は、プリグルーブ２を有する光ディスク１の原盤を製造するための光ディスク原盤製造装置の構成例を表している。マスタークロックを分周器Ａ１で分周して、例えば１周期が３μｓの連続信号を生成し、ＬＰＦ(Low Pass Filter）Ａ２で正弦波に整形された同期信号用ウォブリング信号（同期ウォブル信号）は、光偏向器駆動用アンプＡ３を介して第１の光偏向器Ａ４を駆動する。
【００２３】
変調回路Ａ５には、マスタークロックを分周した信号とアドレス情報が供給されている。変調回路Ａ５はアドレス情報の変調データビット（”１”，”０”で表されるアドレスデータビット）に応じてウォブルの有無を決定し、アドレス用ウォブリング信号（アドレス情報ウォブル信号）を出力する。アドレス用ウォブリング信号もＬＰＦＡ６で正弦波に整形されアンプＡ７を介して、第２の光偏向器Ａ８を駆動する。第１及び第２の光偏向器Ａ４，Ａ５を通過するレーザ光（原盤露光用レーザ光）は、各々、グルーブ２の左右側壁を形成するよう、対物レンズＡ５を介して、原盤ＡＤ上に半径方向に隣接して配置され露光される。スピンドルモータＡ１０は、原盤ＡＤを所定の速度で回転させるようになされている。同図中、ＡＭ１，ＡＭ４はハーフミラー、ＡＭ２，ＡＭ３は全反射ミラー。
【００２４】
図４に第１及び第２の光偏向器Ａ４，Ａ５の駆動信号の一実施例を示す。マスタークロックを分周して生成される一定周期の連続した正弦波の同期信号用ウォブルＡ信号はアンプＡ３を介して第１の光偏向器Ａ４に供給される。アドレス用ウォブル信号Ｂは、例えばアドレスビットデータが”１”の時は正弦波信号が３周期分だけ出力されないように、ウォブルアドレス信号のビットデータに応じて信号の有無が決定され、アンプＡ７を介して第２の光偏向器Ａ８に入力される。
【００２５】
原盤ＡＤを現像し、この原盤ＡＤからスタンパを作成し、スタンパから多数のレプリカとしての光ディスク１を形成する。これにより、上述した同期信号（ウォブルＡ信号）とアドレス信号（ウォブルＢ信号）に対応してプリグルーブ２が形成された光ディスク１が得られることになる。光ディスク１のプリグルーブ２の左右側壁は、この同期信号とアドレス信号に対応して形成（ウォブリング）される。
【００２６】
図５は、このようにして得られた光ディスク１に対して、データを記録再生する光ディスク記録再生装置の構成例を表している。光ディスク記録再生装置Ｂの光ヘッドＢ１は、線速度一定で回転させた光ディスク１に対してレーザ光を照射し、光ディスク１に対して記録データを記録し、また，その反射光から再生データを再生する。記録再生回路Ｂ２は、所定の方式でデータを変調するなどして、光ヘッドＢ１へ記録データを出力する。また、記録再生回路Ｂ２は、光ヘッドＢ１より入力された再生データを適宜復調して外部へ出力するようになされている。
【００２７】
ウォブル検出回路Ｂ３は、光ヘッドＢ１が再生出力する信号からウォブル信号を検出している。ウォブル信号はＰＬＬ(Phase Locked Loop：位相同期）Ｂ１０で安定した同期信号に変換され、ＡＭ（Amplitude Modulation）復調回路Ｂ４は、振幅変調されて再生されるウォブル信号を復調し、アドレス情報読取回路Ｂ５は、同期信号と復調信号からアドレス情報を読み取り、その読取結果を送り制御回路Ｂ６に出力している。ウォブル信号は、ランド３でもグルーブ２でも同様に再生され、常に安定な同期信号とアドレス信号を得ることができる。ＣＬＶ基準信号生成回路Ｂ７はアドレス情報、例えばトラック情報、セクタアドレス等により、光ヘッドＢ１が現在走査している記録再生位置の半径値を算出し、所定の線速度に比例し半径値に反比例するモータ制御基準信号を生成してスピンドルモータＢ８のモータ制御回路Ｂ９に送られ、ＣＬＶ（Constant Linear Velocity：線速度一定）回転制御に用いられる。
【００２８】
図６に再生するトラックと再生信号波形の一例を示した。ウォブル検出信号（同図（Ｂ））は、再生されるトラックの左右側壁の一方の蛇行が無い区間では、左右側壁の両方が蛇行している個所に比べ、ウォブル信号の振幅が低下する。このウォブル信号振幅が低下した区間がアドレスデータビットが”１”に相当する区間である。同期信号は、このウォブル信号を２値化して生成されても良いしＰＬＬで生成しても構わない。ウォブル信号は、図示しない同期検波等の手段を用いた復調回路でアドレス信号が容易に復調される。
【００２９】
図７は、本発明の光ディスク１のアドレスの形成例を表している。同図に示すように、光ディスク１の内周から外周に向かって多数形成されているトラックのうちの特定のトラックの位置を示すトラック情報Ｒ、及び、光ディスク１の内周から外周に向かって等角度間隔で形成された多数の放射角度のうちの特定の放射角度範囲を示す角度情報Θを含むアドレス（アドレス情報）は等角度間隔周期で形成されるので、１つのアドレスのウォブルサイクル総数は光ディスク１の内周と外周で同一であるが、物理長は異なることになる。角度基準マークは、各アドレスの先頭個所に高周波ウォブルで形成される。
【００３０】
トラック番号を示すこのトラック情報Ｒ及び角度情報θを用いることによって、容易に、光ディスク１のＣＡＶ（Constant Angle Velocity ：角速度一定）記録再生が可能であることは勿論である。すなわち、図５に示した光ディスク記録再生装置Ｂの構成中、ＣＬＶ基準信号生成回路Ｂ７をＣＡＶ基準信号生成回路（図示せず）に変更すると共に、ＣＡＶ基準信号生成回路とアドレス情報読取回路Ｂ５との間を遮断する。こうして、アドレス情報読取回路Ｂ５においてアドレス情報から読み取ったトラック情報Ｒ及び角度情報θを含むその読取結果を送り制御回路Ｂ６へ出力する。ＣＡＶ基準信号生成回路は、光ヘッドＢ１の記録再生位置に無関係に、角速度一定でスピンドルモータＢ８を回転する旨のモータ制御基準信号をモータ制御回路Ｂ９へ生成出力する。これにより、スピンドルモータＢ８はＣＡＶで回転制御されるので、光ディスク１をＣＡＶで回転することができるのである。
【００３１】
図８は、本発明の光ディスク１のアドレスの別の形成例を表している。同図に示すように、１セクタを構成するセクタ番号情報Ｓを含むセクタアドレスは、一定のウォブルサイクル数で形成されるので、光ディスク１の内周と外周でアドレス領域の物理長は異なる。しかし、１セクタアドレスは一定の物理長周期で形成されるから、光ディスク１の内周と外周とに無関係に光ディスク１の全面にわたり一定である。セクタアドレス領域以外のセクタ内では蛇行を連続して形成する。
【００３２】
このように、アドレス領域とデータ領域が兼用でき、ランドでもグルーブでもＣＬＶ（線速度一定）回転制御情報及びアドレス情報が安定して得られるので、高密度に記録することが可能になる。
【００３３】
【発明の効果】
以上のように、本発明は、光ディスクにトラックが予めウォブルされて形成されており、このウォブルにはアドレス情報が記録されているので、この光ディスクを用いたデータの記録再生時、読み出したこのアドレス情報に基づいて、光ディスクの回転制御及びトラック位置を正確に読み取ることができるので、データを高密度に記録再生することができる。また、前記トラックとしてはグルーブトラックだけではなく、グルーブトラックとランドトラックとの両トラックを併用することによっても、前記アドレス情報を用いることによって光ディスクの回転制御及びトラック位置を正確に読み取ることができるので、グルーブトラックだけを用いた記録再生時と同様に、グルーブトラックとランドトラックとの両トラックにデータを高密度に記録再生することができる。
【図面の簡単な説明】
【図１】本発明の光ディスクの構成を説明するための図である。
【図２】本発明の光ディスクの断面を説明するための図である。
【図３】  本発明の光ディスクを製造するための光ディスク原盤製造装置を説明するための図である。
【図４】第１及び第２の光偏向回路の動作を説明するための図である。
【図５】  本発明の光ディスクを再生するための光ディスク再生装置を説明するための図である。
【図６】光ディスクの再生個所と再生波形の関係を説明するための図である。
【図７】光ディスクのアドレスの形成例を示す図である。
【図８】光ディスクのアドレスの形成例を示す図である。
【図９】ウォブリングによるアドレスの記録を説明する図である。
【図１０】従来例のディスク形態を概念的に示す要部拡大図を示す。
【符号の説明】
１  光ディスク
２  グルーブ
３  ランド
Ａ  光ディスク原盤製造装置
Ａ４  第１の光偏向器（第１の光偏向手段）
Ａ８  第２の光偏向器（第２の光偏向手段）
Ｂ  光ディスク再生装置
Ｂ３  ウォブル検出回路（検出手段）
Ｂ４  ＡＭ復調回路（ウォブリング信号抽出手段）
Ｂ５  アドレス情報読取回路（アドレス情報読取手段）
Ｒ  トラック情報
Θ  角度情報
【図１】
0003865173.tif 000002
【図２】
0003865173.tif 000003
【図３】
0003865173.tif 000004
【図４】
0003865173.tif 000005
【図５】
0003865173.tif 000006
【図６】
0003865173.tif 000007
【図７】
0003865173.tif 000008
【図８】
0003865173.tif 000009
【図９】
0003865173.tif 000010
【図１０】
0003865173.tif 000011